(57)【要約】【課題】異常状態の来場者による危険の低減に有用な入場管理システムを提供する。【解決手段】来場者の異常状態を検知する検知装置と、来場者の特定エリアへの入場制限を行うゲート等の入場制限装置と、来場者を隔離用エリアへの誘導を行うための誘導装置と、制御装置とを含む入場管理システムにおいて、制御装置は、検知装置からの検知信号と来場者から取得した認証用情報とに基づき、入場制限装置に入場制限を解除させるか否かの判断制御を行い、検知信号に基づいて誘導装置に誘導指示信号を出力するか否かの判断制御を行う。【選択図】図１
2011204057.tif 000002
【特許請求の範囲】
【請求項１】
第１エリアへの入場制限を行う入場制限装置を、取得した認証用情報に基づく認証の結果に応じて制御する制御装置であって、
外部の検知装置からの信号入力用の入力端子と、
第２エリアへの誘導を行う外部の誘導装置への信号出力用の出力端子と、
認証用情報を取得する取得手段と、
前記取得手段により取得された認証用情報と前記入力端子からの所定信号入力の有無とに基づいて前記入場制限装置に前記入場制限を解除させるか否かに係る入場制御を行う入場制御手段と、
前記入力端子からの所定信号入力の有無に基づいて前記出力端子に前記誘導のための信号を出力するか否かに係る出力制御を行う出力制御手段とを備える
ことを特徴とする制御装置。
【請求項２】
前記取得手段により認証用情報が取得された際に前記入力端子から所定信号が入力されたか否かを判定する判定手段を備え、
前記入場制御手段は、前記取得手段により取得された認証用情報と前記判定手段による前記判定の結果とに基づいて、前記入場制御を行い、
前記出力制御手段は、前記判定手段による前記判定の結果に基づいて、前記出力制御を行う
ことを特徴とする請求項１記載の制御装置。
【請求項３】
前記入場制御手段は、前記取得手段により取得された認証用情報が所定条件を満たし、かつ、前記判定手段により前記所定信号が入力されていないと判定された場合には、前記入場制限装置を制御して前記入場制限を解除させ、
前記出力制御手段は、前記判定手段により前記所定信号が入力されたと判定された場合には、前記出力端子に、前記誘導のための信号を出力する
ことを特徴とする請求項２記載の制御装置。
【請求項４】
前記認証用情報は、記録媒体に記録された利用者識別情報であり、
前記取得手段は、前記記録媒体から利用者識別情報を受信することにより、前記認証用情報を取得し、
前記判定手段は、前記取得手段により前記認証用情報が取得されてから所定時間内に前記入力端子から所定信号が入力されたか否かを判定する
ことを特徴とする請求項３記載の制御装置。
【請求項５】
請求項１記載の制御装置と、
前記入場制限装置と、
前記入力端子と接続された前記検知装置と、
前記出力端子と接続された前記誘導装置とを含む
ことを特徴とする入場管理システム。
【請求項６】
前記誘導装置は、
前記第２エリアへ入場すべき旨を提示するための提示手段と、
前記第２エリアへの入場制限を行う制限手段とを備え、
前記制御装置は、前記取得手段により認証用情報が取得された際に前記入力端子から所定信号が入力されたか否かを判定する判定手段を備え、
前記入場制御手段は、前記取得手段により取得された認証用情報が所定条件を満たし、かつ、前記判定手段により前記所定信号が入力されていないと判定された場合には、前記入場制限装置を制御して前記入場制限を解除させ、
前記出力制御手段は、前記判定手段により前記所定信号が入力されたと判定された場合には、前記出力端子に、前記誘導のための信号を出力し、
前記誘導装置は、前記誘導のための信号を受信した場合に、前記制限手段を制御して前記入場制限を解除させて前記提示手段に前記第２エリアへ入場すべき旨を提示させる誘導制御手段を備える
ことを特徴とする請求項５記載の入場管理システム。
【請求項７】
前記入場管理システムは、更に、
前記第２エリアへの入場がなされたことを検出すると前記誘導装置に入場検出の旨を伝達する検出装置と、
第２エリアへの入場がなされていない旨の報知を行うための報知装置とを含み、
前記誘導装置は、更に、前記出力端子から前記誘導のための信号を受けた後、所定時間内に前記検出装置から前記入場検出の旨の伝達を受けていなければ、前記報知装置に前記報知を行わせる報知制御手段を備える
ことを特徴とする請求項６記載の入場管理システム。
【請求項８】
前記検知装置は、認証用情報を持つ来場者の体温を測定するための温度センサを有し、測定した体温が所定閾値より高い場合に前記所定信号を前記入力端子に入力する
ことを特徴とする請求項７記載の入場管理システム。
【発明の詳細な説明】
【技術分野】
【０００１】
本発明は、権限ない者の特定エリアへの入場を制限する入場管理システムに関し、特に、来場者からの認証用情報等に基づき、扉の鍵を解錠する等の入場制限解除を行う技術に関する。
【背景技術】
【０００２】
従来、入場管理システムは、セキュリティ確保等のために、無権限の来場者が、オフィス、研究施設、製造施設等の特定エリアへ入場することを制限するために用いられている。
入場管理システムにおいては、来場者が所持するＩＣカード等の認証用媒体に記録された情報や来場者の生体情報等の認証用情報を読み取って、権限確認のための認証処理を行い、認証の結果に応じて、特定エリアへの扉の施解錠制御等を行う制御装置が用いられる。
【０００３】
これにより、入場権限が有ることと関連付けられた認証用情報を記録した認証用媒体等を所持する来場者、つまり権限の有ることを示す認証用情報を持つ来場者は、特定エリアへの入場が可能になる。
また、権限の有ることを示す認証用情報を持つ来場者の背後に無権限者が付いて来て一緒に入場してしまうこと（いわゆる「共連れ」）を防止するため、権限の有ることを示す認証用情報を持つ来場者であっても、他の者が付いて来ていることを体重センサで検知した場合には扉を解錠状態にしない技術が知られている（特許文献１参照）。
【先行技術文献】
【特許文献】
【０００４】
【特許文献１】特開２００６−１９５８８１号公報
【発明の概要】
【発明が解決しようとする課題】
【０００５】
しかしながら、他の者が付いて来ているか否かと関係なく、来場者が異常状態にある場合には次の問題が生じる。
即ち、権限の有ることを示す認証用情報を持つ来場者が例えばインフルエンザ等の伝染性のある病気に感染しているような異常状態の場合には、その来場者が特定エリアに入場すると特定エリア内に所在する他者に病気が伝染する危険があり、かつ、その来場者が特定エリアに入場する直前の場所に居ても別の来場者に病気が伝染する危険がある。
【０００６】
そこで、本発明は係る問題に鑑みてなされたものであり、異常状態の来場者により生じる危険の低減に有用な入場管理システム又は制御装置を提供することを目的とする。
【課題を解決するための手段】
【０００７】
上記問題を解決するために本発明に係る制御装置は、第１エリアへの入場制限を行う入場制限装置を、取得した認証用情報に基づく認証の結果に応じて制御する制御装置であって、外部の検知装置からの信号入力用の入力端子と、第２エリアへの誘導を行う外部の誘導装置への信号出力用の出力端子と、認証用情報を取得する取得手段と、前記取得手段により取得された認証用情報と前記入力端子からの所定信号入力の有無とに基づいて前記入場制限装置に前記入場制限を解除させるか否かに係る入場制御を行う入場制御手段と、前記入力端子からの所定信号入力の有無に基づいて前記出力端子に前記誘導のための信号を出力するか否かに係る出力制御を行う出力制御手段とを備えることを特徴とする。
【０００８】
また、本発明に係る入場管理システムは、前記制御装置と、前記入場制限装置と、前記入力端子と接続された前記検知装置と、前記出力端子と接続された前記誘導装置とを含むことを特徴とする。
【発明の効果】
【０００９】
これにより、本発明に係る制御装置及び入場管理システムは、異常状態の来場者の第１エリアへの侵入を防止するとともにその来場者の滞留を防ぐべく第２エリアへの誘導を行うことが可能になるので、異常状態の来場者により生じる危険を低減することができるようになる。
【図面の簡単な説明】
【００１０】
【図１】本実施形態に係る入場管理システム１００が利用される施設の見取り図である。
【図２】入場管理システム１００の構成図である。
【図３】ゲートユニット１１０の行う認証処理を示すフローチャートである。
【図４】本実施形態に係る入場管理システム２００が利用される施設の見取り図である。
【図５】入場管理システム２００の構成図である。
【図６】誘導装置１５０の行う誘導処理を示すフローチャートである。
【発明を実施するための形態】
【００１１】
＜実施形態１＞
以下、本発明の一実施形態に係る入場管理システム１００について説明する。
＜概要＞
図１は、本実施形態に係る入場管理システム１００が利用される施設の見取り図である。
【００１２】
同図に示すように建物１０は、入口となるエントランスホール１１、オフィス１２、医務室への通路１４等に区画されており、来場者のオフィス１２への入場が入場管理システム１００により制限されている。
この入場管理システム１００は、カードリーダ１２０による来場者にかざされたＩＣカード２０からの認証用情報を読み取って認証処理を行った結果として、扉１３の電子錠の施解錠を制御する施解錠装置１３０を制御するゲートユニット（制御装置）１１０を備える。
【００１３】
このゲートユニット１１０は、来場者の体温の異常を検知するためのサーモグラフィ１４０からの入力にも基づいて施解錠装置１３０を制御し、更に、体温が異常に高い場合には、案内表示装置１５１に、医務室へ誘導するための表示を行わせる出力をする。体温の異常は、インフルエンザに感染している等、病気の可能性を表す。
これにより、ゲートユニット１１０に既に登録されたものと同一の認証用情報が記録されたＩＣカード２０を所持する来場者であっても異常状態であればオフィス１２への入場を防ぐことができるとともに、その者の医務室への隔離も期待できるようになる。
【００１４】
＜構成＞
以下、入場管理システム１００の構成について説明する。
図２は、入場管理システム１００の構成図である。
同図に示すように、入場管理システム１００は、ゲートユニット１１０、カードリーダ１２０、施解錠装置１３０、サーモグラフィ１４０、案内表示装置１５１を備える。なお、同図では、入場管理システム１００が、ゲートユニット１１０やカードリーダ１２０を各１台備える様子を示しているが、図外の各室への入場を制御するためにこれらは別にも備えられ各ゲートユニットはいずれも、建物１０内に備えられた１台の管理サーバ１０１とネットワーク接続されている。
【００１５】
ゲートユニット１１０は、カードリーダ１２０及び施解錠装置１３０と接続され、入力端子１１４及び出力端子１１５を備え、プロセッサ、メモリ（不揮発性メモリを含む。）等からなる演算処理装置であり、認証処理を行うものである。
カードリーダ１２０は、扉１３付近に配置され、来場者が持つＩＣカード２０から認証用情報であるカードＩＤを読み取り、読み取ったカードＩＤをゲートユニット１１０に伝える装置である。ここで、カードＩＤは、所持する者を識別する利用者識別情報として用いられている。
【００１６】
施解錠装置１３０は、扉１３と連結して配置され、ゲートユニット１１０からの施錠又は解錠の指示信号を受けて、指示信号に応じて扉１３の鍵の施解錠を行うための機構を制御する装置である。なお、この施解錠装置１３０は通常は施錠状態を保持するものであり、来場者がＩＣカード２０をカードリーダ１２０に読み取らせるまでは、オフィス１２への扉１３の鍵を施錠状態に保っている。
【００１７】
サーモグラフィ１４０は、温度測定機能を有し、カードリーダ１２０付近に居る者の体温を測定可能な位置に配置され、体温が所定の基準温度（例えば摂氏４０度）より高い場合に異常を示す所定信号（例えば特定データを表すディジタル信号）を出力する機能を有する装置である。そのサーモグラフィ１４０からの出力用信号線は、ゲートユニット１１０の入力端子１１４に接続して用いられる。
【００１８】
案内表示装置１５１は、ディスプレイを含み、外部から所定の信号を受けた場合に、医務室に誘導するための表示を行う機能を有する。その外部から所定の信号を受けるための信号線は、ゲートユニット１１０の出力端子１１５に接続して用いられる。なお、医務室に誘導するための表示は、例えば、「速やかに左の扉から医務室にお進み下さい」等のメッセージの表示であり、この表示を見た来場者を、扉１５を通じて医務室への通路１４に入るよう誘導するものである。
【００１９】
以下、ゲートユニット１１０の各機能構成要素の内容について説明する。
図２に示すように、ゲートユニット１１０は、認証処理を行うために機能的には判定部１１１、入場制御部１１２及び出力制御部１１３を含む。なお、これら各機能部の機能はメモリ自体と、メモリに格納された制御プログラムがプロセッサに実行されることとにより実現される。
【００２０】
判定部１１１は、カードリーダ１２０からカードＩＤが伝えられた時から所定時間内（例えば２秒以内）に、入力端子１１４から所定信号が入力されたか否かを判定し、判定結果を入場制御部１１２及び出力制御部１１３に通知する機能を有する。
入場制御部１１２は、カードリーダ１２０から伝えられるカードＩＤが、オフィス１２への入室権限を有する者のカードＩＤとしてゲートユニット１１０内に登録されているか否かと、判定部１１１から所定信号が入力された旨の通知を受けたか否かとに基づき、施解錠装置１３０に対して、施錠又は解錠の指示信号を送出するか否かの制御を行う機能を有する。なお、建物１０内の各室についての入室権限を有する者のカードＩＤを含むデータベースを格納した管理サーバ１０１から、オフィス１２への入室権限を有する者のカードＩＤを示す情報が予めゲートユニット１１０の不揮発性メモリに随時転送されることで、登録が実現されている。
【００２１】
出力制御部１１３は、判定部１１１から所定信号が入力された旨の通知を受けたか否かに基づき、出力端子１１５から、案内表示装置１５１に誘導を行わせるための所定の信号を出力する機能を有する。
＜動作＞
以下、上述の構成を備える入場管理システム１００の動作について説明する。
【００２２】
エントランスホール１１に来た来場者がオフィス１２に入場しようとしてＩＣカード２０をカードリーダ１２０に読み取らせた場合に、ゲートユニット１１０は認証処理を行う。
図３は、ゲートユニット１１０の行う認証処理を示すフローチャートである。
ゲートユニット１１０は、カードリーダ１２０からカードＩＤが伝えられる毎に、この認証処理を実行する。
【００２３】
まず、ゲートユニット１１０の入場制御部１１２は、カードリーダ１２０からカードＩＤを伝えられると（ステップＳ１）、そのカードＩＤが、ゲートユニット１１０の不揮発性メモリに登録されているものと一致するか否かを判断する（ステップＳ２）。
ステップＳ２においてカードＩＤが登録されているものと一致すると判断した場合には、入場制御部１１２は、そのカードＩＤが伝えられてから所定時間内に入力端子１１４から所定信号が入力されたか否かという判定結果を判定部１１１から受ける（ステップＳ３）。なお、ステップＳ３では、判定部１１１は、カードＩＤが伝えられてから所定時間内に入力端子１１４から所定信号が入力されたと判定した場合には、出力制御部１１３にその旨を伝える。
【００２４】
入場制御部１１２は、所定信号が入力されなかったとの判定結果を受けた場合には、オフィス１２への扉１３の鍵を施解錠装置１３０に解錠させ、その一定時間後（例えば５秒後）に再び施錠させる（ステップＳ４）。なお、来場者の体温が所定の基準温度以下であればサーモグラフィ１４０から入力端子１１４に所定信号が入力されず、来場者の体温が所定の基準温度より高い場合には、サーモグラフィ１４０から入力端子１１４に所定信号が入力される。従って、来場者の体温が所定の基準温度以下であった場合に、ステップＳ４の処理により一時解錠がなされることになる。
【００２５】
また、来場者の体温が所定の基準温度より高かった場合には、判定部１１１が、所定信号が入力された旨を出力制御部１１３に伝え、これを受けて出力制御部１１３は、出力端子１１５から案内表示装置１５１に誘導を行わせるための所定の信号を出力する（ステップＳ５）。
この出力端子１１５からの所定の信号の出力結果として、案内表示装置１５１はディスプレイに医務室に誘導するための表示を行うこととなる。この表示を見た来場者は異常状態でない場合（例えば前回来場時）にはオフィス１２に入場できたはずの者であるので、もし表示がなければ何かシステムの故障等かと思ってカードリーダ１２０付近に滞留してしまうおそれがあるのをこの表示により防ぎ得る。即ち、扉１５は特に鍵がかけられたものではないので、この表示を見た来場者が扉１５を開けて医務室へ向かうことが期待される。
＜実施形態２＞
以下、本発明の一実施形態に係る入場管理システム２００について説明する。
【００２６】
＜概要＞
図４は、本実施形態に係る入場管理システム２００が利用される施設の見取り図である。
入場管理システム２００は、実施形態１で示した入場管理システム１００に、異常状態の来場者が医務室へ隔離されることを更に促進する等のための構成要素を追加したものである。
【００２７】
即ち、同図に示すように、入場管理システム２００は、入場管理システム１００に、制御回路１５２０、施解錠装置１６０、人感センサ１７０及びブザー１８０を追加したものである。なお、実施形態１とは異なり医務室への通路１４への扉１５は、施解錠装置１６０により通常は施錠状態にされている。
これにより、カードリーダ１２０にＩＣカード２０を読み取らせた来場者の体温が所定の基準温度より高い場合に、案内表示装置１５１により医務室に誘導するための表示を行うのみならず、医務室への通路１４への扉１５の鍵を解錠して誘導し、一定時間内に来場者が扉１５を通過して人感センサ１７０に感知されなければ、ブザー１８０を鳴動して危険状態の発生を報知する機能を実現する。
【００２８】
＜構成＞
以下、入場管理システム２００の構成について説明する。
図５は、入場管理システム２００の構成図である。
同図に示すように、入場管理システム２００は、実施形態１で示した入場管理システム１００と同一のゲートユニット１１０、カードリーダ１２０、施解錠装置１３０、サーモグラフィ１４０及び案内表示装置１５１を備える。ここでは、入場管理システム１００と同一の構成要素についての説明は省略する。
【００２９】
入場管理システム１００においてはゲートユニット１１０の出力端子１１５が案内表示装置１５１と接続されていたが、入場管理システム２００においてはゲートユニット１１０の出力端子１１５は、誘導装置１５０と接続されている。
この誘導装置１５０は、実施形態１で示した案内表示装置１５１に加えて、プロセッサ及びメモリを含む制御回路１５２０を含み、案内表示装置１５１及び制御回路１５２０を接続して出力端子１１５からの信号が伝わるよう構成されたものである。
【００３０】
制御回路１５２０は、機能的には誘導制御部１５２１及び報知制御部１５２２を有する。これらの各機能部の機能は、制御回路１５２０において、メモリに格納された制御プログラムをプロセッサが実行することで実現される。
誘導制御部１５２１は、ゲートユニット１１０の出力端子１１５から所定の信号が出力されたか否かに基づいて、施解錠装置１６０に対して、施錠又は解錠の指示信号を送出するか否かの制御を行う機能を有する。
【００３１】
また、報知制御部１５２２は、誘導制御部１５２１により解錠の指示信号が送出されてから一定時間内（例えば１５秒以内）に、人感センサから人体を検知した旨の信号が通知されなければブザー１８０を鳴動させるよう制御する機能を有する。
施解錠装置１６０は、扉１５と連結して配置され、制御回路１５２０の誘導制御部１５２１による施錠又は解錠の指示信号を受けて、指示信号に応じて扉１５の鍵の施解錠を行うための機構を制御する装置である。
【００３２】
人感センサ１７０は、扉１５を通って医務室への通路１４に来場者が入ったか否かを検知可能な位置に配置され、その検知を人体が放出する赤外線に反応する素子を用いることで行い、来場者が入ったことを検知した場合には、制御回路１５２０に人体を検知した旨の信号を通知する機能を有する。
＜動作＞
以下、上述の構成を備える入場管理システム２００の動作について説明する。
【００３３】
エントランスホール１１に来た来場者がオフィス１２に入場しようとしてＩＣカード２０をカードリーダ１２０に読み取らせた場合に、ゲートユニット１１０は実施形態１で説明した認証処理（図３のステップＳ１〜Ｓ５参照）を行う。但し、ゲートユニット１１０の出力端子１１５は本実施形態においては、誘導装置１５０に接続されているため、ステップＳ５では出力制御部１１３は、出力端子１１５から、誘導装置１５０に、誘導を行わせるための所定の信号を出力することとなる。
【００３４】
誘導装置１５０は、誘導を行わせるための所定の信号を受けた場合に、次の誘導処理を行う。
図６は、誘導装置１５０の行う誘導処理を示すフローチャートである。
ゲートユニット１１０の出力端子１１５から出力される所定の信号は、誘導装置１５０を構成する案内表示装置１５１及び制御回路１５２０に伝達される。なお、所定の信号が通知されるのは、実施形態１で説明したように、オフィス１２への入場権限を有することを示すカードＩＤが記録されたＩＣカード２０を所持する来場者の体温が所定の基準温度より高い場合である。
【００３５】
この所定の信号を受けると案内表示装置１５１は、実施形態１で示したように、ディスプレイに医務室に誘導するための表示を行う（ステップＳ１１）。
また、この所定の信号を受けると制御回路１５２０の誘導制御部１５２１は、施解錠装置１６０に、医務室への通路１４への扉１５の鍵を施解錠装置１６０に解錠させ、その一定時間後（例えば１０秒後）に再び施錠させる（ステップＳ１２）。これにより、所定の基準温度より高い体温の来場者が医務室への通路１４に行き、施錠により隔離されることが期待できる。なお、施解錠装置１６０が通常は施錠しているため、所定の基準温度以下の体温の来場者つまり異常状態でない者が誤って医務室への通路１４に入ってしまい異常状態の者と接触するような事態の発生は、防止されている。
【００３６】
誘導制御部１５２１が鍵を解錠させた後の所定時間内（例えば１５秒以内）に人感センサ１７０から、人体を検知した旨の信号が通知されなかった場合には（ステップＳ１３）、報知制御部１５２２はブザー１８０を鳴動させるよう制御する（ステップＳ１４）。
このステップＳ１４によるブザー１８０の鳴動により、異常状態の来場者が医務室へ向かわなかった可能性つまり危険の可能性があることを周囲に通知することができる。
＜補足＞
以上、本発明に係る入場管理システムの実施形態として、実施形態１、２を例として説明したが、例示した入場管理システムを以下のように変形することも可能であり、本発明は上述の実施形態で示した通りの入場管理システムに限られないことは勿論である。
【００３７】
（１）上述の実施形態では、ＩＣカード２０に記録されたカードＩＤ（利用者識別情報）を認証用情報の一例とし、カードリーダ１２０によりその認証用情報を取得することとしたが、ＩＣカードとカードリーダとの組は、非接触型、接触型のいずれであってもよく、或いは、ＩＣタグやメモリカードや光ディスク等の利用者識別情報を記録した記録媒体と、タグリーダやメモリカードリーダや光ディスクドライブ等の読取装置に置き換えてもよい。また、認証用情報として、生体情報（指紋、虹彩パターン、静脈パターン等）を用いることとしてこれらの生体情報の読取装置に置き換えてもよい。
即ち、カードリーダ１２０は、来場者が持つ認証用情報を取得する取得装置であれば他の物であってもよく、これに対応して、ゲートユニット１１０はその取得装置から認証用情報を取得するためのインタフェースとなる取得手段を有するものであればよい。
【００３８】
（２）上述の実施形態で示したサーモグラフィ１４０からゲートユニット１１０の入力端子１１４に入力される所定信号は、特定データを表すディジタル信号でなくても、特定の波形の信号であることとしてもよい。また、サーモグラフィ１４０を、非接触式温度センサ等の温度検出用のセンサを含み予め定めた基準温度より高いか低いかを区別して高い場合に所定信号を出力する装置に置き換えてもよい。
【００３９】
（３）上述の実施形態で示したサーモグラフィ１４０を、予め定めた基準より大きな金属を有する場合に異常状態である旨を出力するような金属探知機に置き換えてもよい。これにより、刃物等の危険物を所持した状態の来場者を上述の実施形態で示した高熱の来場者と同様に扱い、オフィス１２への入場防止や隔離を行うことが可能になる。即ち、来場者が異常状態にあることを検知して所定信号を出力するような検知装置を、ゲートユニット１１０の入力端子１１４に接続して利用することで、異常状態の来場者の入場禁止や隔離のための制御を行うことができるようになる。
【００４０】
（４）上述の実施形態では、オフィス１２への入場を制限するためのものとして、施解錠装置１３０を示したが、この代わりに、フラッパーゲートを用いてもよい。この場合、実施形態で示した鍵を解錠した状態は、フラッパーゲートを開いた状態に相当し、鍵を施錠した状態は、フラッパーゲートを閉じた状態に相当する。つまり、ゲートユニット１１０の入場制御部１１２は、施解錠装置やフラッパーゲート等の入場制限装置を制御するものであればよい。
【００４１】
（５）実施形態１では、ゲートユニット１１０の出力端子１１５は案内表示装置１５１と接続されているものとしたが、この場合の案内表示装置は、来場者を誘導するための表示を行うものであって誘導装置とも言える。実施形態２では誘導装置１５０として、案内表示装置と、誘導制御部及び報知制御部を含む制御回路とから構成されるものを示したが、出力端子１１５に接続される誘導装置は、少なくとも来場者のその場への滞留を防ぐためのものであれば例えば案内表示装置を含まず、扉１５の開閉を行う装置や扉１５の施解錠を行う装置等で構成されるものとしてもよい。
また、案内表示装置は、ディスプレイを有し、誘導のための表示を行うものとしたが、その代わりに電光掲示板に表示を行うものであってもよく、また、誘導のための音声を出力する装置であってもよい。また誘導は、医務室（医務室への通路１４）への誘導としたが、来場者がカードリーダ１２０付近に滞留させないようにするものであれば、他の部屋や建物外部のエリアを誘導先とするものであってもよい。
【００４２】
（６）実施形態２で示した人感センサ１７０は、赤外線を検知するセンサであるものとしたが、超音波或いは可視光を検知するセンサとしてもよく、また人感センサの代わりに重量検出用のセンサを用いる等により、来場者が誘導に従って移動を行ったか否かを判定できるように構成した検出装置であればよい。
【００４３】
（７）実施形態２で示した人感センサ１７０、報知制御部１５２２、ブザー１８０を有さないようにして、図６のステップＳ１３、Ｓ１４の処理を省略することとしてもよい。但し、実施形態２で示したような構成にする方が、異常状態の来場者のカードリーダ１２０付近への滞留による危険を防止できる可能性が高まる。
【００４４】
（８）実施形態２で示した報知制御部１５２２は、ブザー１８０の鳴動を制御するものとしたが、ブザー１８０は、報知を行う報知装置の一例にすぎず、赤色回転灯等の発光装置又は建物１０の管理者等に対して電話による発呼若しくは電子メール送信を行う機能を有する装置等にブザー１８０を置き換えてもよい。
【００４５】
（９）実施形態２で示した制御回路１５２０による施解錠装置１６０及びブザー１８０の制御処理（図６のステップＳ１２〜Ｓ１４）は、例えば扉１５の鍵を一時的に解錠している期間を少し長めにして（例えば２０秒）、その期間より短い一定時間（例えば５秒）待っても来場者が扉１５を通過したことを人感センサ１７０が検知しなかったときにはブザー１８０の鳴動を開始し、ブザーの音を聞いてから来場者が扉１５を通過することを許容するようにしてもよい。これにより、ブザーの音を聞いた管理者等が、来場者に扉１５を通過するよう呼び掛ける等により、来場者が医務室への通路１４へと隔離される可能性が高まることが期待できるようになる。
【００４６】
（１０）上述の実施形態では、認証処理（図３）においてカードＩＤが登録されたものでなければ、つまり入場権限を有することを示すものでなければ、何も処理しないこととしたが、ステップＳ５の誘導指示を行うこととしても差し支えない。
【００４７】
（１１）上述の実施形態で示した入場管理システムではゲートユニット１１０の入力端子１１４及び出力端子１１５にそれぞれサーモグラフィ、誘導装置等の各装置が接続されている例を示したが、これらの端子に装置が接続されていない場合は、図３に示すステップＳ３の判断ブロックにおいて、必ず入力端子からの所定信号はないという判断がなされ、ステップＳ４が実行されるようになり、従来同様の入場制御は実現されるようになる。従って、インフルエンザが流行する等、異常状態の発生の危険性が高まったときにのみ、サーモグラフィ等の異常状態の検知装置や、案内表示装置等の誘導装置を設置して、これらをゲートユニット１１０と接続するように入場管理システムを運用することもできる。これによれば、逆にインフルエンザが流行していない場合等においては不要な装置を取り外すことができる。
【００４８】
但し、検知装置や誘導装置を予めゲートユニット１１０と常に接続して運用されることが想定された入場管理システムにおいては、サーモグラフィ等の検知装置が、来場者が異常状態にあるか否かを識別可能な入力を行いさえすればよい。この場合は、ゲートユニット１１０は、ステップＳ３〜Ｓ５の処理を、異常状態である場合には誘導指示を行い（ステップＳ５）、異常状態でなければオフィス１２への扉１３の一時的な解錠のための制御を行う（ステップＳ４）ように変更する必要がある。
【００４９】
（１２）以下、更に本発明の一実施形態に係る制御装置及び入場管理システムの構成及びその変形例と各効果について説明する。
【００５０】
（ａ）本発明の一実施形態に係る制御装置は、第１エリアへの入場制限を行う入場制限装置を、取得した認証用情報に基づく認証の結果に応じて制御する制御装置であって、外部の検知装置からの信号入力用の入力端子と、第２エリアへの誘導を行う外部の誘導装置への信号出力用の出力端子と、認証用情報を取得する取得手段と、前記取得手段により取得された認証用情報と前記入力端子からの所定信号入力の有無とに基づいて前記入場制限装置に前記入場制限を解除させるか否かに係る入場制御を行う入場制御手段と、前記入力端子からの所定信号入力の有無に基づいて前記出力端子に前記誘導のための信号を出力するか否かに係る出力制御を行う出力制御手段とを備える。従ってこの制御装置は、オフィス１２等といった第１エリアに入場を望む来場者が、体温が異常に高い等の異常状態である場合には第１エリアへの入場を自動的に防ぐとともに、医務室や建物外部等といった第２エリアへと退出させるよう自動的に誘導することで認証のための場所に滞留するのを防ぎ得るようなシステムを構築する上で有効に機能する。
【００５１】
（ｂ）前記制御装置は、前記取得手段により認証用情報が取得された際に前記入力端子から所定信号が入力されたか否かを判定する判定手段を備え、前記入場制御手段は、前記取得手段により取得された認証用情報と前記判定手段による前記判定の結果とに基づいて、前記入場制御を行い、前記出力制御手段は、前記判定手段による前記判定の結果に基づいて、前記出力制御を行うこととしてもよい。これにより、過去に正常な状態であったとしても、入場のための認証を行おうとする際に異常状態になっている場合には、第２エリアに誘導し得るようになる。
【００５２】
（ｃ）前記入場制御手段は、前記取得手段により取得された認証用情報が所定条件を満たし、かつ、前記判定手段により前記所定信号が入力されていないと判定された場合には、前記入場制限装置を制御して前記入場制限を解除させ、前記出力制御手段は、前記判定手段により前記所定信号が入力されたと判定された場合には、前記出力端子に、前記誘導のための信号を出力することとしてもよい。これにより、入力端子に検出装置を接続しない運用形態であっても権限の有無に基づいて第１エリアへの入場制御を行うための基本的な機能を発揮できかつ、入力端子に検出装置が接続された場合には異常状態が検出されたことに対応した入場制御や誘導表示を行うことができるようになる。
【００５３】
（ｄ）前記認証用情報は、記録媒体に記録された利用者識別情報であり、前記取得手段は、前記記録媒体から利用者識別情報を受信することにより、前記認証用情報を取得し、前記判定手段は、前記取得手段により前記認証用情報が取得されてから所定時間内に前記入力端子から所定信号が入力されたか否かを判定することとしてもよい。これにより、入場権限を有する利用者を示す利用者識別情報が記録された記録媒体を所持した来場者であっても異常状態であれば、入場制限や他のエリアへの誘導が行われることになり、また、そのような入場制限や誘導が行われた後であっても、入場権限を有する利用者を示す別の利用者識別情報が記録された記録媒体を所持して正常状態の来場者が来た場合には、入場が許容されるようになる。
【００５４】
（ｅ）本発明の一実施形態に係る入場管理システムは、前記制御装置と、前記入場制限装置と、前記入力端子と接続された前記検知装置と、前記出力端子と接続された前記誘導装置とを含む。これにより、オフィス１２等といった第１エリアに入場を望む来場者が、体温が異常に高い等の異常状態である場合には第１エリアへの入場を自動的に防ぐとともに、医務室や建物外部等といった第２エリアへと退出させるよう自動的に誘導することで認証のための場所に滞留するのを防ぎ得るようになる。
【００５５】
（ｆ）前記誘導装置は、前記第２エリアへ入場すべき旨を提示するための提示手段と、前記第２エリアへの入場制限を行う制限手段とを備え、前記制御装置は、前記取得手段により認証用情報が取得された際に前記入力端子から所定信号が入力されたか否かを判定する判定手段を備え、前記入場制御手段は、前記取得手段により取得された認証用情報が所定条件を満たし、かつ、前記判定手段により前記所定信号が入力されていないと判定された場合には、前記入場制限装置を制御して前記入場制限を解除させ、前記出力制御手段は、前記判定手段により前記所定信号が入力されたと判定された場合には、前記出力端子に、前記誘導のための信号を出力し、前記誘導装置は、前記誘導のための信号を受信した場合に、前記制限手段を制御して前記入場制限を解除させて前記提示手段に前記第２エリアへ入場すべき旨を提示させる誘導制御手段を備えることとしてもよい。これにより、異常状態でない者が入場できない第２エリアへ異常状態の来場者を導き隔離し得るようになる。
【００５６】
（ｇ）前記入場管理システムは、更に、前記第２エリアへの入場がなされたことを検出すると前記誘導装置に入場検出の旨を伝達する検出装置と、第２エリアへの入場がなされていない旨の報知を行うための報知装置とを含み、前記誘導装置は、更に、前記出力端子から前記誘導のための信号を受けた後、所定時間内に前記検出装置から前記入場検出の旨の伝達を受けていなければ、前記報知装置に前記報知を行わせる報知制御手段を備えることとしてもよい。これにより異常状態の者を隔離できていない事態の発生を周囲の者或いは管理者等に通知することが可能となる。
（ｈ）前記検知装置は、認証用情報を持つ来場者の体温を測定するための温度センサを有し、測定した体温が所定閾値より高い場合に前記所定信号を前記入力端子に入力することとしてもよい。これにより所定閾値を例えば摂氏４０度程度等と定めておくことによりインフルエンザ等の病気が来場者から他者に伝染する危険を低減し得るようになる。
【符号の説明】
【００５７】
２０            ＩＣカード
１００、２００  入場管理システム
１０１          管理サーバ
１１０          ゲートユニット
１１１          判定部
１１２          入場制御部
１１３          出力制御部
１１４          入力端子
１１５          出力端子
１２０          カードリーダ
１３０、１６０  施解錠装置
１４０          サーモグラフィ
１５０          誘導装置
１５１          案内表示装置
１７０          人感センサ
１８０          ブザー
１５２０        制御回路
１５２１        誘導制御部
１５２２        報知制御部
【図１】
2011204057.tif 000003
【図２】
2011204057.tif 000004
【図３】
2011204057.tif 000005
【図４】
2011204057.tif 000006
【図５】
2011204057.tif 000007
【図６】
2011204057.tif 000008